(57)【特許請求の範囲】
【請求項１】
正面視で、切断台を含み、前記切断台の中の中間には切断装置が設置され、前記切断装置は前記切断装置の中に設置されているブレードチャンバを含み、前記ブレードチャンバが上方に開口しており、前記ブレードチャンバの中にはソーブレードが回転できるように設置され、前記ソーブレードの真上には蓋板が設置され、前記蓋板の中には前記ブレードチャンバと対向し、且つ下方に開口した防塵チャンバが設置され、前記切断装置の後側には昇降装置が設置され、前記昇降装置が前記蓋板の昇降を制御でき、且つ木材の厚さによって調節でき、木材を切断する時、前記蓋板が木材の上方をカバーすることができ、切断の過程の中で生じた木屑が飛び散ることを避け、この時に木材の上下両側に吸塵を行うことができ、前記蓋板を下降させない時、前記防塵チャンバのところに風力が生じなく、前記ブレードチャンバの下側には吸塵装置が設置され、前記吸塵装置は、前記ブレードチャンバの中に落ちて前記蓋板に遮られた木屑を取り出すことができ、前記切断台の中の下側には右方に開口した貯蔵チャンバが設置され、前記吸塵装置が吸い込んだ木屑を全部前記貯蔵チャンバの中に貯蔵し、前記吸塵装置の後側には動力供給装置が設置され、前記動力供給装置が前記切断装置と前記吸塵装置とを同期連動させて作動させることができることを特徴とする除塵機能を有する木材切断機。
【請求項２】
前記切断装置は前記ブレードチャンバの右壁に回転できるように設置された回転軸を含み、前記ソーブレードが前記回転軸の左端に固定的に設置され、前記ブレードチャンバの右側にはベベルギヤチャンバが設置され、前記回転軸の右端が前記ベベルギヤチャンバの中に伸びており、また前記回転軸の右端には従動ベベルギヤが固定的に設置され、前記ベベルギヤチャンバの後壁には前記従動ベベルギヤと噛み合っている主動ベベルギヤが回転できるように設置され、前記主動ベベルギヤが前記動力供給装置に動力が伝達できるように連結されていることを特徴とする請求項１に記載の除塵機能を有する木材切断機。
【請求項３】
前記昇降装置は前記切断台の中の後側に設置されている昇降チャンバを含み、前記昇降チャンバが上方に開口しており、前記昇降チャンバの中には昇降ロッドがスライドできるように設置され、前記昇降ロッドの上端には横ロッドが固定的に設置され、前記横ロッドの左端には吊りロッドが固定的に設置され、前記蓋板が前記吊りロッドの下端に固定的に設置され、前記吊りロッドと、前記横ロッドと、前記昇降ロッドとの中には前記防塵チャンバの上側に連通しているパイプが貫通するように設置され、前記パイプの下端が前記昇降ロッドの中の下端に伸びており、且つ左方に開口することを特徴とする請求項２に記載の除塵機能を有する木材切断機。
【請求項４】
前記昇降チャンバの下壁には油圧シリンダーが固定的に設置され、前記昇降ロッドが前記昇降チャンバの上端に固定的に設置されたことを特徴とする請求項３に記載の除塵機能を有する木材切断機。
【請求項５】
前記防塵チャンバの前側には前方に開口した開口が連通するように設置されたことを特徴とする請求項１に記載の除塵機能を有する木材切断機。
【請求項６】
前記吸塵装置は前記ブレードチャンバの外円面に連通するように設置された塵落としチャンバを含み、前記塵落としチャンバの右壁の下端には主吸塵通路が連通するように設置され、前記主吸塵通路の後側が前記貯蔵チャンバの上壁に連通され、前記昇降チャンバの左壁には風ガイドチャンバが連通するように設置され、前記風ガイドチャンバの左側には前記主吸塵通路の上壁に連通された副吸塵通路が連通するように設置され、前記貯蔵チャンバの後壁の中にはファンチャンバが連通するように設置され、前記貯蔵チャンバと前記ファンチャンバとの間には風通し網が固定的に設置され、前記ファンチャンバにはファンが回転できるように設置され、前記動力供給装置は前記ファンの回転に動力を提供し、前記ファンチャンバの後壁には後方に開口した風出し口が連通するように設置されたことを特徴とする請求項３に記載の除塵機能を有する木材切断機。
【請求項７】
前記風ガイドチャンバの下側には遮り板チャンバが連通するように設置され、前記遮り板チャンバの中には防風板がスライドできるように設置され、前記防風板の右端面の上端には前記昇降ロッドの左端面の下端に固定的に連結されたガイドスライドロッドが固定的に設置され、前記昇降ロッドが前記ガイドスライドロッドにより前記防風板を連動させて昇降させることができ、更に前記昇降ロッドの昇降状況によって前記風ガイドチャンバを開けるまたは閉じることができることを特徴とする請求項６に記載の除塵機能を有する木材切断機。
【請求項８】
前記貯蔵チャンバの中には塵貯蔵箱がスライドできるように設置され、前記塵貯蔵箱の中には上方に開口した塵貯蔵チャンバが設置され、前記塵貯蔵チャンバの後壁の中には後方に開口した通風口が連通するように設置され、前記通風口が前記風通し網と対向でき、前記通風口の中にはフィルタが固定的に設置され、前記塵貯蔵箱の右端面にはハンドルが固定的に設置され、前記ハンドルが前記塵貯蔵箱を収めるまたは取り出すことに便利を与えることを特徴とする請求項６に記載の除塵機能を有する木材切断機。
【請求項９】
前記動力供給装置は前記ファンチャンバの後側に設置されたプーリチャンバを含み、前記プーリチャンバの後壁の中にはモータが固定的に設置され、前記モータの前端には動力プーリが動力が伝達できるように連結され、前記動力プーリが前記ファンに動力が伝達できるように連結され、前記動力プーリの上側には伝動プーリが回転できるように設置され、前記伝動プーリの軸心には伝動軸が固定的に設置され、前記伝動軸の前端が前記主動ベベルギヤの軸心に固定的に連結され、前記動力プーリと前記伝動プーリとの間には伝動ベルトが巻きつくように設置されたことを特徴とする請求項６に記載の除塵機能を有する木材切断機。
【請求項１０】
前記切断台の下端面の四角にはテーブルの脚が固定的に設置されたことを特徴とする請求項１に記載の除塵機能を有する木材切断機。  
【発明の詳細な説明】
【技術分野】
【０００１】
本発明は木材加工技術分野を取り上げて、具体的には除塵機能を有する木材切断機である。
【背景技術】
【０００２】
木材を削る過程において、大量の木屑が生じ、大量の埃が生じて空気を汚染しがちであり、更に作業員の体に影響し、同時に時間と精力をかけて地面に落ちた木屑を処理する必要があり、すごく面倒くさく、現有の切断機があくまで木屑を簡単に遮ることしかできず、木屑を有効的に処理できなく、そのため、除塵機能を有する木材切断機が必要とする。本発明は上記の問題を解決できる装置を開示した。
【先行技術文献】
【特許文献】
【０００３】
【特許文献１】中国特許出願公開第１０８６０８５０４号明細書
【発明の概要】
【発明が解決しようとする課題】
【０００４】
技術問題：
普通の木材切断機がただ木材を各方式で削り、生じた木屑を処理できなく、空気汚染が厳しい。
【課題を解決するための手段】
【０００５】
上記の問題を解決するために、本発明は除塵機能を有する木材切断機を設計し、本発明の除塵機能を有する木材切断機は、切断台を含み、前記切断台の中の中間には切断装置が設置され、前記切断装置は前記切断装置の中に設置されているブレードチャンバを含み、前記ブレードチャンバが上方に開口しており、前記ブレードチャンバの中にはソーブレードが回転できるように設置され、前記ソーブレードの真上には蓋板が設置され、前記蓋板の中には前記ブレードチャンバと対向し、且つ下方に開口した防塵チャンバが設置され、前記切断装置の後側には昇降装置が設置され、前記昇降装置が前記蓋板の昇降を制御でき、且つ木材の厚さによって調節でき、木材を切断する時、前記蓋板が木材の上方をカバーすることができ、切断の過程の中で生じた木屑が飛び散ることを避け、この時に木材の上下両側に吸塵を行うことができ、前記蓋板を下降させない時、前記防塵チャンバのところに風力が生じなく、前記ブレードチャンバの下側には吸塵装置が設置され、前記吸塵装置は、前記ブレードチャンバの中に落ちて前記蓋板に遮られた木屑を取り出すことができ、前記切断台の中の下側には右方に開口した貯蔵チャンバが設置され、前記吸塵装置が吸い込んだ木屑を全部前記貯蔵チャンバの中に貯蔵し、前記吸塵装置の後側には動力供給装置が設置され、前記動力供給装置が前記切断装置と前記吸塵装置とを同期連動させて作動させることができる。
【０００６】
更のプランとしては、前記切断装置は前記ブレードチャンバの右壁に回転できるように設置された回転軸を含み、前記ソーブレードが前記回転軸の左端に固定的に設置され、前記ブレードチャンバの右側にはベベルギヤチャンバが設置され、前記回転軸の右端が前記ベベルギヤチャンバの中に伸びており、また前記回転軸の右端には従動ベベルギヤが固定的に設置され、前記ベベルギヤチャンバの後壁には前記従動ベベルギヤと噛み合っている主動ベベルギヤが回転できるように設置され、前記主動ベベルギヤが前記動力供給装置に動力が伝達できるように連結されている。
【０００７】
更のプランとしては、前記昇降装置は前記切断台の中の後側に設置されている昇降チャンバを含み、前記昇降チャンバが上方に開口しており、前記昇降チャンバの中には昇降ロッドがスライドできるように設置され、前記昇降ロッドの上端には横ロッドが固定的に設置され、前記横ロッドの左端には吊りロッドが固定的に設置され、前記蓋板が前記吊りロッドの下端に固定的に設置され、前記吊りロッドと、前記横ロッドと、前記昇降ロッドとの中には前記防塵チャンバの上側に連通しているパイプが貫通するように設置され、前記パイプの下端が前記昇降ロッドの中の下端に伸びており、且つ左方に開口する。
【０００８】
更のプランとしては、前記昇降チャンバの下壁には油圧シリンダーが固定的に設置され、前記昇降ロッドが前記昇降チャンバの上端に固定的に設置され、前記油圧シリンダーが前記昇降ロッドの昇降を制御することができる。
【０００９】
更のプランとしては、前記防塵チャンバの前側には前方に開口した開口が連通するように設置され、前記開口で通気でき、また作業員が切断状況を観察することに便利を与える。
【００１０】
更のプランとしては、前記吸塵装置は前記ブレードチャンバの外円面に連通するように設置された塵落としチャンバを含み、前記塵落としチャンバの右壁の下端には主吸塵通路が連通するように設置され、前記主吸塵通路の後側が前記貯蔵チャンバの上壁に連通され、前記昇降チャンバの左壁には風ガイドチャンバが連通するように設置され、前記風ガイドチャンバの左側には前記主吸塵通路の上壁に連通された副吸塵通路が連通するように設置され、前記貯蔵チャンバの後壁の中にはファンチャンバが連通するように設置され、前記貯蔵チャンバと前記ファンチャンバとの間には風通し網が固定的に設置され、前記ファンチャンバにはファンが回転できるように設置され、前記動力供給装置は前記ファンの回転に動力を提供し、前記ファンチャンバの後壁には後方に開口した風出し口が連通するように設置された。
【００１１】
更のプランとしては、前記風ガイドチャンバの下側には遮り板チャンバが連通するように設置され、前記遮り板チャンバの中には防風板がスライドできるように設置され、前記防風板の右端面の上端には前記昇降ロッドの左端面の下端に固定的に連結されたガイドスライドロッドが固定的に設置され、前記昇降ロッドが前記ガイドスライドロッドにより前記防風板を連動させて昇降させることができ、更に前記昇降ロッドの昇降状況によって前記風ガイドチャンバを開けるまたは閉じることができる。
【００１２】
更のプランとしては、前記貯蔵チャンバの中には塵貯蔵箱がスライドできるように設置され、前記塵貯蔵箱の中には上方に開口した塵貯蔵チャンバが設置され、前記塵貯蔵チャンバの後壁の中には後方に開口した通風口が連通するように設置され、前記通風口が前記風通し網と対向でき、前記通風口の中にはフィルタが固定的に設置され、前記塵貯蔵箱の右端面にはハンドルが固定的に設置され、前記ハンドルが前記塵貯蔵箱を収めるまたは取り出すことに便利を与える。
【００１３】
更のプランとしては、前記動力供給装置は前記ファンチャンバの後側に設置されたプーリチャンバを含み、前記プーリチャンバの後壁の中にはモータが固定的に設置され、前記モータの前端には動力プーリが動力が伝達できるように連結され、前記動力プーリが前記ファンに動力が伝達できるように連結され、前記動力プーリの上側には伝動プーリが回転できるように設置され、前記伝動プーリの軸心には伝動軸が固定的に設置され、前記伝動軸の前端が前記主動ベベルギヤの軸心に固定的に連結され、前記動力プーリと前記伝動プーリとの間には伝動ベルトが巻きつくように設置された。
【００１４】
更のプランとしては、前記切断台の下端面の四角にはテーブルの脚が固定的に設置され、前記テーブルの脚が前記切断台を支持して固定することができる。
【発明の効果】
【００１５】
本発明の有益効果は：本発明は木材の上下両側に防塵と吸塵の方式で木屑を抽出し、同時に木材のサイズと使用要求によって上側の蓋板の高度を調整でき、不使用も可能であり、使用しない時に風力が生じなく、作業に影響しなく、抽出された木屑を貯蔵して処理し、更に便利である。
【図面の簡単な説明】
【００１６】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の除塵機能を有する木材切断機の全体構成模式図
【図２】図２は図１の「Ａ―Ａ」方向の構成模式図
【図３】図３は図１の「Ｂ―Ｂ」方向の構成模式図
【発明を実施するための形態】
【００１８】
本発明は除塵機能を有する木材切断機に関わり、木材を削る過程において木屑を吸い込む作業に用いられ、以下は本発明の付図を交えて本発明を更に説明する：
【００１９】
図１〜３を参照し、本発明の除塵機能を有する木材切断機は、切断台１１を含み、前記切断台１１の中の中間には切断装置１０１が設置され、前記切断装置１０１は前記切断装置１０１の中に設置されているブレードチャンバ１２を含み、前記ブレードチャンバ１２が上方に開口しており、前記ブレードチャンバ１２の中にはソーブレード１３が回転できるように設置され、前記ソーブレード１３の真上には蓋板１４が設置され、前記蓋板１４の中には前記ブレードチャンバ１２と対向し、且つ下方に開口した防塵チャンバ１５が設置され、前記切断装置１０１の後側には昇降装置１０２が設置され、前記昇降装置１０２が前記蓋板１４の昇降を制御でき、且つ木材の厚さによって調節でき、木材を切断する時、前記蓋板１４が木材の上方をカバーすることができ、切断の過程の中で生じた木屑が飛び散ることを避け、この時に木材の上下両側に吸塵を行うことができ、前記蓋板１４を下降させない時、前記防塵チャンバ１５のところに風力が生じなく、前記ブレードチャンバ１２の下側には吸塵装置１０３が設置され、前記吸塵装置１０３は、前記ブレードチャンバ１２の中に落ちて前記蓋板１４に遮られた木屑を取り出すことができ、前記切断台１１の中の下側には右方に開口した貯蔵チャンバ１６が設置され、前記吸塵装置１０３が吸い込んだ木屑を全部前記貯蔵チャンバ１６の中に貯蔵し、前記吸塵装置１０３の後側には動力供給装置１０４が設置され、前記動力供給装置１０４が前記切断装置１０１と前記吸塵装置１０３とを同期連動させて作動させることができる。
【００２０】
有益的には、前記切断装置１０１は前記ブレードチャンバ１２の右壁に回転できるように設置された回転軸１７を含み、前記ソーブレード１３が前記回転軸１７の左端に固定的に設置され、前記ブレードチャンバ１２の右側にはベベルギヤチャンバ１８が設置され、前記回転軸１７の右端が前記ベベルギヤチャンバ１８の中に伸びており、また前記回転軸１７の右端には従動ベベルギヤ１９が固定的に設置され、前記ベベルギヤチャンバ１８の後壁には前記従動ベベルギヤ１９と噛み合っている主動ベベルギヤ２０が回転できるように設置され、前記主動ベベルギヤ２０が前記動力供給装置１０４に動力が伝達できるように連結されている。
【００２１】
有益的には、前記昇降装置１０２は前記切断台１１の中の後側に設置されている昇降チャンバ２１を含み、前記昇降チャンバ２１が上方に開口しており、前記昇降チャンバ２１の中には昇降ロッド２２がスライドできるように設置され、前記昇降ロッド２２の上端には横ロッド２３が固定的に設置され、前記横ロッド２３の左端には吊りロッド２４が固定的に設置され、前記蓋板１４が前記吊りロッド２４の下端に固定的に設置され、前記吊りロッド２４と、前記横ロッド２３と、前記昇降ロッド２２との中には前記防塵チャンバ１５の上側に連通しているパイプ２５が貫通するように設置され、前記パイプ２５の下端が前記昇降ロッド２２の中の下端に伸びており、且つ左方に開口する。
【００２２】
有益的には、前記昇降チャンバ２１の下壁には油圧シリンダー２６が固定的に設置され、前記昇降ロッド２２が前記昇降チャンバ２１の上端に固定的に設置され、前記油圧シリンダー２６が前記昇降ロッド２２の昇降を制御することができる。
【００２３】
有益的には、前記防塵チャンバ１５の前側には前方に開口した開口２７が連通するように設置され、前記開口２７で通気でき、また作業員が切断状況を観察することに便利を与える。
【００２４】
有益的には、前記吸塵装置１０３は前記ブレードチャンバ１２の外円面に連通するように設置された塵落としチャンバ２８を含み、前記塵落としチャンバ２８の右壁の下端には主吸塵通路２９が連通するように設置され、前記主吸塵通路２９の後側が前記貯蔵チャンバ１６の上壁に連通され、前記昇降チャンバ２１の左壁には風ガイドチャンバ３０が連通するように設置され、前記風ガイドチャンバ３０の左側には前記主吸塵通路２９の上壁に連通された副吸塵通路３１が連通するように設置され、前記貯蔵チャンバ１６の後壁の中にはファンチャンバ３２が連通するように設置され、前記貯蔵チャンバ１６と前記ファンチャンバ３２との間には風通し網３３が固定的に設置され、前記ファンチャンバ３２にはファン３４が回転できるように設置され、前記動力供給装置１０４は前記ファン３４の回転に動力を提供し、前記ファンチャンバ３２の後壁には後方に開口した風出し口３５が連通するように設置された。
【００２５】
有益的には、前記風ガイドチャンバ３０の下側には遮り板チャンバ３６が連通するように設置され、前記遮り板チャンバ３６の中には防風板３７がスライドできるように設置され、前記防風板３７の右端面の上端には前記昇降ロッド２２の左端面の下端に固定的に連結されたガイドスライドロッド３８が固定的に設置され、前記昇降ロッド２２が前記ガイドスライドロッド３８により前記防風板３７を連動させて昇降させることができ、更に前記昇降ロッド２２の昇降状況によって前記風ガイドチャンバ３０を開けるまたは閉じることができる。
【００２６】
有益的には、前記貯蔵チャンバ１６の中には塵貯蔵箱３９がスライドできるように設置され、前記塵貯蔵箱３９の中には上方に開口した塵貯蔵チャンバ４０が設置され、前記塵貯蔵チャンバ４０の後壁の中には後方に開口した通風口４１が連通するように設置され、前記通風口４１が前記風通し網３３と対向でき、前記通風口４１の中にはフィルタ４２が固定的に設置され、前記塵貯蔵箱３９の右端面にはハンドル５０が固定的に設置され、前記ハンドル５０が前記塵貯蔵箱３９を収めるまたは取り出すことに便利を与える。
【００２７】
有益的には、前記動力供給装置１０４は前記ファンチャンバ３２の後側に設置されたプーリチャンバ４３を含み、前記プーリチャンバ４３の後壁の中にはモータ４４が固定的に設置され、前記モータ４４の前端には動力プーリ４５が動力が伝達できるように連結され、前記動力プーリ４５が前記ファン３４に動力が伝達できるように連結され、前記動力プーリ４５の上側には伝動プーリ４６が回転できるように設置され、前記伝動プーリ４６の軸心には伝動軸４７が固定的に設置され、前記伝動軸４７の前端が前記主動ベベルギヤ２０の軸心に固定的に連結され、前記動力プーリ４５と前記伝動プーリ４６との間には伝動ベルト４８が巻きつくように設置された。
【００２８】
有益的には、前記切断台１１の下端面の四角にはテーブルの脚４９が固定的に設置され、前記テーブルの脚４９が前記切断台１１を支持して固定することができる。
【００２９】
以下は図１〜３を交えて本発明の除塵機能を有する木材切断機の使用ステップを詳しく説明する：
【００３０】
初期に、蓋板１４が上限の位置にあり、昇降ロッド２２が上限の位置にあり、防風板３７が風ガイドチャンバ３０を密封し、通風口４１が風通し網３３の位置と対向する。
【００３１】
木材を切断する時、木材を切断台１１の上方に置き、油圧シリンダー２６が起動して昇降ロッド２２を連動させて下降させ、横ロッド２３と吊りロッド２４とにより蓋板１４を連動させて木材の上面より少し高い位置まで下降させ、この時にモータ４４が起動して動力プーリ４５とファン３４とを連動させて回転させ、ファン３４が塵貯蔵チャンバ４０のの中の気体を吸い、動力プーリ４５が伝動ベルト４８により伝動プーリ４６を連動させて回転させ、伝動軸４７により主動ベベルギヤ２０を連動させて回転させ、ギヤの噛み合いにより従動ベベルギヤ１９を連動させて回転させ、回転軸１７によりソーブレード１３を連動させて回転させ、この時に木材を押し動かして切断し、この時に木屑が塵落としチャンバ２８の中に落ち、あるいは防塵チャンバ１５の中に阻まれ、塵落としチャンバ２８の中の木屑が主吸塵通路２９を通して塵貯蔵チャンバ４０の中に落ち、防塵チャンバ１５の中の木屑がパイプ２５と、風ガイドチャンバ３０と、副吸塵通路３１とにより主吸塵通路２９の中に吸い込まれ、そして塵貯蔵チャンバ４０の中に貯蔵される。
【００３２】
蓋板１４を使用しない時、蓋板１４を上限の位置に置き、この時に防風板３７が風ガイドチャンバ３０を密封し、空気が塵落としチャンバ２８からだけ吸い込まれる。
【００３３】
本発明の有益効果は：本発明は木材の上下両側に防塵と吸塵の方式で木屑を抽出し、同時に木材のサイズと使用要求によって上側の蓋板の高度を調整でき、不使用も可能であり、使用しない時に風力が生じなく、作業に影響しなく、抽出された木屑を貯蔵して処理し、更に便利である。
【００３４】
以上の方式により、本分野の技術者が本発明の範囲内に作動モードにより各種な変化をすることができる。
【要約】      （修正有）【課題】除塵機能を有する木材切断機を提供する。【解決手段】切断台１１を含み、切断台１１の中の中間には切断装置１０１が設置され、切断装置１０１はブレードチャンバ１２を含み、ブレードチャンバ１２は上方に開口しており、ブレードチャンバ１２の中にはソーブレード１３が回転できるように設置され、ソーブレード１３の真上には蓋板１４が設置され、蓋板１４の中にはブレードチャンバ１２と対向し、且つ下方に開口した防塵チャンバ１５が設置され、本発明は木材の上下両側に防塵と吸塵の方式で木屑を抽出し、同時に木材のサイズと使用時の要求によって上側の蓋板１４の高さを調整する昇降装置１０２を備え、使用しない時には風力が発生せず、作業に影響することなく、抽出された木屑を貯蔵して処理することができる。【選択図】図１【図１】
0006739696.tif 000002
【図２】
0006739696.tif 000003
【図３】
0006739696.tif 000004